(57)【要約】【課題】抜け止め機能を確実に発揮する。【解決手段】ランス３２の突出端３２Ｄは、挿入方向の斜め後方へ向けて延出した板片の先端側を内方へ折り曲げることで形成されているため、係止部１３がランスのエッジによって削られることが防止される。また、ランス３２の先端部には係合部３２Ｅが設けられ、この係合部３２Ｅに対し規制部３５が挿入方向の前側から係合しているため、ランス３２の前側への変形が規制される。これらによって、ランス３２の抜け止め機能を確実に発揮させることができる。【選択図】　図５
2004047171.tif 000002
【特許請求の範囲】
【請求項１】
コネクタハウジング内に収容される端子金具であって、
前記コネクタハウジングへの挿入方向に対し直交方向に突出したランスを備えるとともに、このランスは、当該端子金具がコネクタハウジング内に挿入されるのに伴って、コネクタハウジング内に設けられた係止部に当接することで内方へ撓み変形され、端子金具が正規の挿入位置に至ると弾性復帰して、その外方への突出端が前記係止部に係止されるようにしたものにおいて、
前記ランスは、前記挿入方向の斜め後方へ向けて延出した板片の先端側を内方へ折り曲げることで前記突出端を形成するとともに、前記突出端よりも先端側に係合部を備え、かつこのランスの係合部に対し前記挿入方向の前側から係合して前記ランスの前側への変形を規制する規制部を備えたことを特徴とする端子金具。
【発明の詳細な説明】
【０００１】
【発明の属する技術分野】
本発明は、ランスを備えた端子金具に関する。
【０００２】
【従来の技術】
従来、コネクタハウジング内に挿入された端子金具を抜け止めする手段として、端子金具に一体に設けられたランス（金属ランスとも称される）を用いたものが知られている。こうしたランスは、端子金具の一壁面から斜め後方に向けて板片を切り起すことで形成され、端子金具をコネクタハウジングのキャビティ内に挿入すると、ランスの先端がキャビティ内に凸状に設けられた係止部に突き当たってランスが撓み変形され、端子金具が所定位置まで挿入されるとランスが復帰変形して係止部に係止されることで抜け止めがなされるようになっている。
なお、同様の構造を備えたものとして特開昭６３−２５７１８７号公報に記載のものが知られている。
【０００３】
【発明が解決しようとする課題】
しかしながら、上記構成では、ランスの先端が鋭く尖ったエッジ状になっていることから、キャビティへの挿入時にランスの先端が係止部の突出端を削ってしまい、その結果ランスのかかり代が少なくなって端子金具が抜けやすくなるおそれがあった。また、端子金具に接続された電線が引っ張られるなどして、端子金具に引張り力が作用した場合に、ランスが前側へ折れ曲がってしまい、その結果やはり端子金具が抜けてしまうというおそれもあった。
本発明は、上記事情に鑑みてなされたもので、その目的は、抜け止め機能を確実に発揮することの可能な端子金具を提供するところにある。
【０００４】
【課題を解決するための手段】
上記の課題を解決するための請求項１の発明に係る端子金具は、コネクタハウジング内に収容される端子金具であって、前記コネクタハウジングへの挿入方向に対し直交方向に突出したランスを備えるとともに、このランスは、当該端子金具がコネクタハウジング内に挿入されるのに伴って、コネクタハウジング内に設けられた係止部に当接することで内方へ撓み変形され、正規深さに至ると弾性復帰して、その外方への突出端が前記係止部に係止されるようにしたものにおいて、前記ランスは、前記挿入方向の斜め後方へ向けて延出した板片の先端側を内方へ折り曲げることで前記突出端を形成するとともに、前記突出端よりも先端側に係合部を備え、かつこのランスの係合部に対し前記挿入方向の前側から係合して前記ランスの前側への変形を規制する規制部を備えたところに特徴を有する。
【０００５】
【発明の作用および効果】
請求項１の発明によれば、ランスの突出端が折り曲げにより形成されることで、係止部がエッジによって削られることが防止される。また、ランスの先端に設けられた係合部に対し、規制部が前側から係合することでランスの前側への変形が規制される。これらによって、ランスの抜け止め機能を確実に発揮させることができる。
【０００６】
【発明の実施の形態】
次に本発明の一実施形態について図１から図５を参照して説明する。
本実施形態では、図１に示すように、コネクタハウジング１０（一部分のみ図示する。以下、ハウジングという）内に収容される雄側端子金具２０について示す。
【０００７】
ハウジング１０は、合成樹脂材によって形成されており、後方から雄側端子金具２０を挿入可能なキャビティ１１が前後に貫通して形成されている。キャビティ１１の天井面における前端には、雄側端子金具２０の前方からの抜けを規制する前止まり壁１２が突出して形成されている。また、キャビティ１１の天井面には、やや前端寄りであってかつ幅方向の中央位置に下方へ突出した係止部１３が形成されている。係止部１３の前端面１３Ａは、下端側が若干前側に張り出したいわゆるオーバーハング状に形成される一方、係止部１３の後端面１３Ｂは、上端側が後側に張り出した傾斜面をなし、キャビティ１１内に挿入される雄側端子金具２０のランス３２の前面に当接可能とされている。
【０００８】
雄側端子金具２０は、導電性の金属板を展開形状に打ち抜いた後、順次曲げ加工を施すことで形成されている。雄側端子金具２０は、図１及び図２に示すように、前後方向に細長く、前端側から順に、相手側の雌側端子金具（図示せず）と接続される雄タブ部２１と、ランス３２の形成されるランス形成部２３と、電線Ｗの端末部に圧着接続されるバレル部２４とが並んで形成されている。
【０００９】
図３は、この雄側端子金具２０の展開状態を示している。雄側端子金具２０はその前端から後端に至る底板２６を備えており、雄タブ部２１は、展開状態において底板２６の両側部から側方に張り出した部分を底板２６の上面に折り重ねることで略平板状に形成されている。
バレル部２４は、底板２６の左右両側部から延出される一対のインシュレーションバレル２７と、同様に底板２６の両側部から延出される一対のワイヤバレル２８とを前後に備えており、インシュレーションバレル２７により電線Ｗの被覆部分が、ワイヤバレル２８により電線Ｗの被覆から剥き出した芯線部分がかしめ付けられている。
【００１０】
ランス形成部２３は、図４にも示すように、底板２６の両側方へ突出する側板２９を垂直に立ち上げるとともに、底板２６に設けた切り込み３１の内側に形成した板片を折り曲げることでランス３２を形成している。ランス３２は、底板２６から斜め後方に向けて起こされた傾斜部３２Ａと、傾斜部３２Ａの先端から内方（下方）へ向けて折り曲げられた内曲げ部３２Ｂと、その内曲げ部３２Ｂの下端から前側へ水平に折り曲げられた水平部３２Ｃとを備え、傾斜部３２Ａと内曲げ部３２Ｂとの間に形成される丸みを帯びた折り曲げ部分周辺がこのランス３２の突出端３２Ｄとなっている。また、水平部３２Ｃの先端部からは、幅方向の両側に係合部３２Ｅが張り出して形成されており、この係合部３２Ｅが底板２６における切り込み３１の両側縁部の上面に重ねられた形態となっている。また、ランス３２は、突出端３２Ｄ付近が上下に撓み変形可能とされるとともに、キャビティ１１の係止部１３に対し弾性的に係合可能とされている。
【００１１】
ランス形成部２３の両側板２９にはランス３２の突出端３２Ｄよりも高い位置まで突出した保護部３３が形成され、これによりランス３２の側方が覆われている。また、両側板２９の一部を互いに内側へ直角曲げすることにより浮き規制部３４が形成され、この浮き規制部３４がランス３２の係合部３２Ｅの上面に重ねられて上方から係合した状態となっていることでランス３２の先端部が浮き上がることが規制されている。また、浮き規制部３４から前側へ延出した部分が下向きに屈曲されることで、規制部３５が形成されている。この規制部３５はランス３２の係合部３２Ｅに対し前側から係合した状態であることで、ランス３２の前側への変形が規制されている。なお、ランス３２の係合部３２Ｅは、前述の構成により上下及び前側への変位が規制されるが後側への変位については許容されている。
【００１２】
本実施形態は以上のような構成であり、次にその作用を説明する。
雄側端子金具２０は、前述のように、金属板を図３に示す展開形状に打ち抜いた後、順次曲げ加工を施すことで形成され、続いてバレル部２４に電線Ｗの端末部がかしめ接続される。この雄側端子金具２０がハウジング１０内に収容されるまでの間には、ランス３２の側方を覆う保護部３３によって異物がランス３２に当接することが防止されている。また、万一異物がランス３２に当接してランス３２が押圧されたような場合でも、浮き規制部３４によってランス３２の先端が上方に持ち上がるような変形が規制され、さらに規制部３５によってランス３２の先端が前側へ変形することが規制されているため、ランス３２が損傷を受けることが防止されている。
【００１３】
雄側端子金具２０をハウジング１０のキャビティ１１内に後方から挿入していくと、ランス３２の傾斜部３２Ａが係止部１３の後端面１３Ｂに当接し、挿入が深まるに従って、ランス３２の突出端３２Ｄが内方（下方）へ撓み変形する。より詳細には、ランス３２のうち水平部３２Ｃ及び係合部３２Ｅが僅かに後方へ変位するとともに、傾斜部３２Ａ、内曲げ部３２Ｂ及び水平部３２Ｃの略前半部分が内方（下方）へ撓み変形する。こうしてランス３２の突出端３２Ｄが係止部１３の下側に入り込み、その下面に摺接しつつ、雄側端子金具２０が挿入される。ここで、ランス３２の突出端３２Ｄが丸みを帯びて形成されているため、係止部１３の下面に引っ掛かることなく、雄側端子金具２０を円滑に挿入できる。
【００１４】
そして、雄側端子金具２０がキャビティ１１に対して正規の挿入位置まで挿入されると、図５に示すように、ランス３２が復帰変形するとともに、ランス３２の突出端３２Ｄが係止部１３の前端面１３Ａに係止される。これにより、雄側端子金具２０がキャビティ１１内に抜け止め状態で保持される。
【００１５】
このように雄側端子金具２０がキャビティ１１内に抜け止めされた状態で、例えば電線Ｗを後方に引っ張ったときには、雄側端子金具２０に対し後方への引張り力が作用するとともに係止部１３からランス３２の突出端３２Ｄを前側へ押圧するような応力が作用する。しかしながら、ランス３２の先端部に設けられた係合部３２Ｅに対して規制部３５が前側から係合していることで、ランス３２の前側への変形が規制される。また、係合部３２Ｅに対して浮き規制部３４が上側から係合することで、ランス３２の先端部が上側へ持ち上がるように変形することが規制される。従って、ランス３２によって雄側端子金具２０が抜け止めされた状態が保たれる。
【００１６】
以上のように本実施形態によれば、ランス３２の突出端３２Ｄが折り曲げにより形成されることで、係止部１３がエッジによって削られることが防止される。また、ランス３２の先端に設けられた係合部３２Ｅに対し、規制部３５が前側から係合することでランス３２の前側への変形が規制される。これらによって、ランス３２の抜け止め機能を確実に発揮させることができる。
【００１７】
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）上記実施形態では、本発明を雄側端子金具に適用したものを示したが、本発明は、雌側端子金具にも適用することができる。
【図面の簡単な説明】
【図１】本実施形態の雄側端子金具をコネクタハウジングに収容する前の状態を示す縦断面図
【図２】雄側端子金具の平面図
【図３】雄側端子金具の展開状態を示す平面図
【図４】ランス形成部の部分拡大斜視図
【図５】雄側端子金具をコネクタハウジング内に収容した状態を示す縦断面図
【符号の説明】
１０…コネクタハウジング
１３…係止部
２０…雄側端子金具（端子金具）
３２…ランス
３２Ｄ…ランスの突出端
３２Ｅ…係合部
３５…規制部
【図１】
2004047171.tif 000003
【図２】
2004047171.tif 000004
【図３】
2004047171.tif 000005
【図４】
2004047171.tif 000006
【図５】
2004047171.tif 000007